(57)【要約】【課題】情報の記録時にディフェクトリストの作成または更新を行い、また、現実的利用に即したディフェクトリストを作成する。【解決手段】光ピックアップ５２の位置制御に用いられるトラックエラー信号ＴＥおよび復調前のＲＦ信号を用いて、ＤＶＤ−ＲＡＭ５０のディフェクトを検出する。トラックエラー信号ＴＥおよび復調前のＲＦ信号を用いてディフェクト検出を行うため、情報の照合や再生を行わないときであっても、ディフェクトリストの作成または更新を行うことができ、かつ、ディフェクト検出の精度を高め、現実的に情報記録の妨げとなるディフェクトに関する情報のみを抽出して、ディフェクトリストに収集することができる。【選択図】      図６
2004273016.tif 000002
【特許請求の範囲】
【請求項１】
情報を取得する取得手段と、
前記取得手段により取得された情報を記録媒体に記録する記録手段と、
前記記録手段と前記記録媒体との間の位置関係または前記記録手段の記録動作の状態に応じて変化する制御信号に基づいて、前記記録手段と前記記録媒体との間の位置関係または前記記録手段の記録動作を制御する制御手段と、
前記制御信号に基づいて前記記録媒体のディフェクトを検出するディフェクト検出手段と、
前記ディフェクト検出手段の検出結果により、前記ディフェクトが存在する場所を示すリストを作成または更新するリスト作成手段と
を備えていることを特徴とする情報記録装置。
【請求項２】
前記ディフェクト検出手段は、
前記制御信号に基づいて、前記ディフェクトの存否を示すディフェクト検出情報を生成するディフェクト検出情報生成手段と、
前記ディフェクト検出情報生成手段により生成されたディフェクト検出情報に基づいて、前記ディフェクトの程度を認識し、このディフェクトの程度が基準程度を超えたか否かを判定するディフェクト判定手段とを備え、
前記リスト作成手段は、前記ディフェクト判定手段の判定結果に基づき、前記ディフェクトの程度が前記基準程度を超えたときに、当該ディフェクトが存在する場所を示す位置情報を前記リストに記録することを特徴とする請求項１に記載の情報記録装置。
【請求項３】
前記記録媒体の記録面に形成されたトラックを複数のブロックに分割し、前記各ブロックをさらに複数のユニットに分割し、
前記ディフェクト判定手段は、
ある１個のユニット内において前記ディフェクトが存在する部分が占める割合が第１基準を超えたときに当該ユニットを欠陥ユニットと判定する欠陥ユニット判定手段と、
前記欠陥ユニット判定手段による判定結果に基づき、ある１個のブロック内に存在する欠陥ユニットの個数が第２基準を超えたときに当該ブロックを欠陥ブロックと判定する欠陥ブロック判定手段とを備え、
前記リスト作成手段は、前記欠陥ブロックの位置を示す位置情報を前記リストに記録することを特徴とする請求項２に記載の情報記録装置。
【請求項４】
前記リスト作成手段は、前記記録手段が前記情報を前記記録媒体に記録している間に、前記リストを作成または更新することを特徴とする請求項１ないし３のいずれかに記載の情報記録装置。
【請求項５】
前記記録媒体は光ディスクであることを特徴とする請求項１ないし４のいずれかに記載の情報記録装置。
【請求項６】
前記記録手段は光ピックアップであることを特徴とする請求項１ないし５のいずれかに記載の情報記録装置。
【請求項７】
前記制御信号は、前記記録手段と前記記録媒体との間の位置関係または前記記録手段の記録動作をサーボ制御するためのサーボ制御信号であることを特徴とする請求項１ないし６のいずれかに記載の情報記録装置。
【請求項８】
前記制御信号は、前記光ピックアップから出力されるＲＦ（Ｒａｄｉｏ  Ｆｒｅｑｕｅｎｃｙ）信号であることを特徴とする請求項６に記載の情報記録装置。
【請求項９】
前記制御信号は、トラックエラー信号であることを特徴とする請求項１ないし７のいずれかに記載の情報記録装置。
【請求項１０】
前記ブロックは、ＥＣＣ（Ｅｒｒｏｒ−Ｃｏｒｒｅｃｔｉｎｇ  Ｃｏｄｅ）ブロックに対応していることを特徴とする請求項３に記載の情報記録装置。
【請求項１１】
前記ユニットは、フレームに対応していることを特徴とする請求項３または１０に記載の情報記録装置。
【請求項１２】
前記ディフェクトは、前記記録媒体上または前記記録媒体中に存在する傷、汚れまたは塵埃である請求項１ないし１１のいずれかに記載の情報記録装置。
【請求項１３】
記録媒体に記録された情報を読み取る読取手段と、
前記読取手段により読み取られた情報を復調する復調手段と、
前記読取手段と前記記録媒体との間の位置関係または前記読取手段の読取動作の状態に応じて変化する制御信号に基づいて、前記読取手段と前記記録媒体との間の位置関係または前記読取手段の読取動作を制御する制御手段と、
前記制御信号に基づいて前記記録媒体のディフェクトを検出するディフェクト検出手段と、
前記ディフェクト検出手段の検出結果により、前記ディフェクトが存在する場所を示すリストを作成または更新するリスト作成手段と
を備えていることを特徴とする情報読取装置。
【請求項１４】
前記復調手段により復調された情報に対しエラー訂正を行い、エラー訂正不能なときにはその旨を実質的に示すエラー訂正不能情報を出力するエラー訂正手段を備え、
前記リスト作成手段は、前記ディフェクト検出手段による検出結果および前記エラー訂正手段から出力されるエラー訂正不能情報に基づいて前記リストを作成または更新することを特徴とする請求項１３に記載の情報読取装置。
【請求項１５】
前記ディフェクト検出手段は、
前記制御信号に基づいて、前記ディフェクトの存否を示すディフェクト検出情報を生成するディフェクト検出情報生成手段と、
前記ディフェクト検出情報生成手段により生成されたディフェクト検出情報に基づいて、前記ディフェクトの程度を認識し、このディフェクトの程度が基準程度を超えたか否かを判定するディフェクト判定手段とを備え、
前記リスト作成手段は、前記ディフェクト判定手段の判定結果に基づき、前記ディフェクトの程度が前記基準程度を超えたときに、当該ディフェクトが存在する場所を示す位置情報を前記リストに記録することを特徴とする請求項１３または１４に記載の情報読取装置。
【請求項１６】
前記記録媒体の記録面に形成されたトラックを複数のブロックに分割し、前記各ブロックをさらに複数のユニットに分割し、
前記ディフェクト判定手段は、
ある１個のユニット内において前記ディフェクトが存在する部分が占める割合が第１基準を超えたときに当該ユニットを欠陥ユニットと判定する欠陥ユニット判定手段と、
前記欠陥ユニット判定手段による判定結果に基づき、ある１個のブロック内に存在する欠陥ユニットの個数が第２基準を超えたときに当該ブロックを欠陥ブロックと判定する欠陥ブロック判定手段とを備え、
前記リスト作成手段は、前記欠陥ブロックの位置を示す位置情報を前記リストに記録することを特徴とする請求項１５に記載の情報読取装置。
【請求項１７】
前記記録媒体は光ディスクであることを特徴とする請求項１３ないし１６のいずれかに記載の情報読取装置。
【請求項１８】
前記記録手段は光ピックアップであることを特徴とする請求項１３ないし１７のいずれかに記載の情報読取装置。
【請求項１９】
前記制御信号は、前記読取手段と前記記録媒体との間の位置関係または前記読取手段の読取動作をサーボ制御するためのサーボ制御信号であることを特徴とする請求項１３ないし１８のいずれかに記載の情報読取装置。
【請求項２０】
前記制御信号は、前記光ピックアップから出力されるＲＦ（Ｒａｄｉｏ  Ｆｒｅｑｕｅｎｃｙ）信号であることを特徴とする請求項１８に記載の情報読取装置。
【請求項２１】
前記制御信号は、トラックエラー信号であることを特徴とする請求項１３ないし１９のいずれかに記載の情報読取装置。
【請求項２２】
前記ブロックは、ＥＣＣ（Ｅｒｒｏｒ−Ｃｏｒｒｅｃｔｉｎｇ  Ｃｏｄｅ）ブロックに対応していることを特徴とする請求項１６に記載の情報読取装置。
【請求項２３】
前記ユニットは、フレームに対応していることを特徴とする請求項１６または２２に記載の情報読取装置。
【請求項２４】
前記ディフェクトは、前記記録媒体上または前記記録媒体中に存在する傷、汚れまたは塵埃である請求項１３ないし２３のいずれかに記載の情報読取装置。
【請求項２５】
請求項１ないし１２のいずれかに記載の情報記録装置を備えたディスクドライブ。
【請求項２６】
請求項１３ないし２４のいずれかに記載の情報読取装置を備えたディスクドライブ。
【請求項２７】
コンピュータを請求項１ないし１２のいずれかに記載の情報記録装置として機能させることを特徴とするコンピュータプログラム。
【請求項２８】
コンピュータを請求項１３ないし２４のいずれかに記載の情報読取装置として機能させることを特徴とするコンピュータプログラム。
【請求項２９】
情報を取得する取得工程と、
前記取得工程において取得された情報を記録手段により記録媒体に記録する記録工程と、
前記記録手段と前記記録媒体との間の位置関係または前記記録手段の記録動作の状態に応じて変化する制御信号に基づいて、前記記録手段と前記記録媒体との間の位置関係を制御する制御工程と、
前記制御信号に基づいて前記記録媒体のディフェクトを検出するディフェクト検出工程と、
前記ディフェクト検出工程における検出結果により、前記ディフェクトが存在する場所を示すリストを作成または更新するリスト作成工程と
を備えていることを特徴とする情報記録方法。
【請求項３０】
記録媒体に記録された情報を読取手段により読み取る読取工程と、
前記読取工程において読み取られた情報を復調する復調工程と、
前記読取手段と前記記録媒体との間の位置関係または前記読取手段の読取動作の状態に応じて変化する制御信号に基づいて、前記読取手段と前記記録媒体との間の位置関係を制御する制御工程と、
前記制御信号に基づいて前記記録媒体のディフェクトを検出するディフェクト検出工程と、
前記ディフェクト検出工程における検出結果により、前記ディフェクトが存在する場所を示すリストを作成または更新するリスト作成工程と
を備えていることを特徴とする情報読取方法。
【発明の詳細な説明】
【０００１】
【発明の属する技術分野】
本発明は、例えば光ディスク等の記録媒体に情報を記録する情報記録装置および情報記録方法、記録媒体に記録された情報を読み取る情報読取装置および情報読取方法、並びに情報記録装置、情報読取装置を実現するためのコンピュータプログラムに関する。
【０００２】
【従来の技術】
例えば、書換可能な光ディスク等の記録媒体の記録面にひっかき傷等が形成され、または指紋による汚れ、塵、埃等が付着する場合がある。また、記録媒体の製造過程において記録層内に塵等が混入する場合もあり得る。さらに、情報の書換を繰り返し行うことによって記録媒体が部分的に劣化する場合がある。このような傷、塵埃、劣化等（以下、これらを「ディフェクト」という。）が存在すると、情報を記録媒体に確実に記録することができなくなる場合があり、記録媒体の情報記録の信頼性が低下するおそれがある。
【０００３】
このような弊害を防止するため、記録媒体にディフェクトが存在していても、その場所を避けて情報を記録することにより、情報の記録を確実に行う技術が開発され、普及している。このような技術は一般に「ディフェクト管理」と呼ばれている。以下、従来のディフェクト管理の典型的な例をいくつか挙げる。
【０００４】
例えば、コンピュータプログラム、画像データ、音声データ、文書データなどの情報を記録するための記録媒体としてＤＶＤ−ＲＡＭを使用する場合、一般に、ＤＶＤ−ＲＡＭにこれらの情報を記録する前にＤＶＤ−ＲＡＭをフォーマットする。そして、ＤＶＤ−ＲＡＭをフォーマットするときには、一般に初期検査（サーティファイ）を行う。この初期検査の実行時に、ＤＶＤ−ＲＡＭの記録面等に存在するディフェクトを検出し、そのディフェクトの存在するＤＶＤ−ＲＡＭ上の位置（例えばアドレス）を特定し、その位置を示す情報をメモリ等に記憶する。このようなディフェクト検出およびディフェクト位置情報の収集をＤＶＤ−ＲＡＭの記録面全体にわたって行い、ディフェクトの位置を示すリスト（以下、これを「ディフェクトリスト」と呼ぶ。）を作成する。そして、フォーマットが済んだＤＶＤ−ＲＡＭに情報を記録するときには、ディフェクトリストを参照しながら情報の記録を行う。これにより、ＤＶＤ−ＲＡＭ上においてディフェクトが存在する場所を避けるようにして情報の記録を行うことができ、情報記録の確実性を高めることができる。
【０００５】
また、例えばＤＶＤ−ＲＡＭ上に情報を記録するときには、一般に照合（ベリファイ）を行う。照合の実行時に、記録が正常に行われなかったことを認識したときには、その照合の対象となった部分の情報を、記録媒体の代替領域に記録する。さらに、このとき、その照合の対象となった情報を本来記録すべきＤＶＤ−ＲＡＭ上の場所にディフェクトが存在すると判定し、この位置をディフェクトリストに記録して、ディフェクトリストを新たに作成し、または既存のディフェクトリストを更新する。これにより、情報記録の確実性をより一層高めることができる。
【０００６】
このような従来のディフェクト管理の例のうち、記録媒体の初期検査時に行うディフェクト検出およびディフェクトリスト作成は、記録媒体の製造過程において記録層内に塵等が混入するといった初期的なディフェクトを管理するのに役立つ。一方、記録情報の照合時に行うディフェクト検出およびディフェクトリスト作成・更新は、ひっかき傷や塵埃の付着といった記録媒体の搬送や使用等により事後的に形成されたディフェクトを管理するのに役立つ。
【０００７】
【発明が解決しようとする課題】
ところで、記録情報の照合時において、ディフェクトリストを作成・更新するためのディフェクト検出は、ＥＣＣ（エラー訂正符号、Ｅｒｒｏｒ−Ｃｏｒｒｅｃｔｉｎｇ  Ｃｏｄｅ）に基づくエラー訂正の結果に基づいて行われる。すなわち、ＥＣＣに基づくエラー訂正が不可能であることが判明した場合に、そのＥＣＣブロックに含まれる情報が記録されていた記録媒体上の場所にディフェクトが存在すると判定し、その判定結果に基づいてディフェクトリストを作成または更新する。
【０００８】
しかし、エラー訂正の結果に基づいてディフェクト検出を行う方法では、ディフェクト検出を行うために、記録媒体から情報を読み取って、それを復調してから、エラー訂正を行う必要がある。この結果、ディフェクト検出およびディフェクトリスト作成・更新を行う時期が、照合時または再生時に限定されるという問題がある。すなわち、ディフェクト検出およびディフェクトリスト作成・更新を、純粋な記録時（すなわち照合を行わずに記録のみを行う時）に行うことができないという問題がある。
【０００９】
また、記録情報の照合時におけるディフェクト検出を、ＥＣＣに基づくエラー訂正の結果に基づいて行うのみでは、ディフェクト検出の精度を高めるのに限界があるという問題がある。
【００１０】
本発明は上記に例示したような問題点に鑑みなされたものであり、本発明の第１の課題は、ディフェクトリストを作成・更新するためのディフェクト検出を情報の記録時に行うことができる情報記録装置、情報記録方法およびコンピュータプログラムを提供することにある。
【００１１】
本発明の第２の課題は、ディフェクト検出の精度を高めることができる情報記録装置、情報再生装置、情報記録方法、情報再生方法およびコンピュータプログラムを提供することにある。
【００１２】
【課題を解決するための手段】
上記課題を解決するために請求項１に記載の情報記録装置は、情報を取得する取得手段と、前記取得手段により取得された情報を記録媒体に記録する記録手段と、前記記録手段と前記記録媒体との間の位置関係または前記記録手段の記録動作の状態に応じて変化する制御信号に基づいて、前記記録手段と前記記録媒体との間の位置関係または前記記録手段の記録動作を制御する制御手段と、前記制御信号に基づいて前記記録媒体のディフェクトを検出するディフェクト検出手段と、前記ディフェクト検出手段の検出結果により、前記ディフェクトが存在する場所を示すリストを作成または更新するリスト作成手段とを備えている。
【００１３】
上記課題を解決するために請求項１３に記載の情報読取装置は、記録媒体に記録された情報を読み取る読取手段と、前記読取手段により読み取られた情報を復調する復調手段と、前記読取手段と前記記録媒体との間の位置関係または前記読取手段の読取動作の状態に応じて変化する制御信号に基づいて、前記読取手段と前記記録媒体との間の位置関係または前記読取手段の読取動作を制御する制御手段と、前記制御信号に基づいて前記記録媒体のディフェクトを検出するディフェクト検出手段と、前記ディフェクト検出手段の検出結果により、前記ディフェクトが存在する場所を示すリストを作成または更新するリスト作成手段とを備えている。
【００１４】
上記課題を解決するために請求項２５に記載のディスクドライブは、請求項１ないし１２のいずれかに記載の情報記録装置を備えている。
【００１５】
上記課題を解決するために請求項２６に記載のディスクドライブは、請求項１３ないし２４のいずれかに記載の情報読取装置を備えている。
【００１６】
上記課題を解決するために請求項２７に記載のコンピュータプログラムは、コンピュータを請求項１ないし１２のいずれかに記載の情報記録装置として機能させる。
【００１７】
上記課題を解決するために請求項２８に記載のコンピュータプログラムは、コンピュータを請求項１３ないし２４のいずれかに記載の情報読取装置として機能させる。
【００１８】
上記課題を解決するために請求項２９に記載の情報記録方法は、情報を取得する取得工程と、前記取得工程において取得された情報を記録手段により記録媒体に記録する記録工程と、前記記録手段と前記記録媒体との間の位置関係または前記記録手段の記録動作の状態に応じて変化する制御信号に基づいて、前記記録手段と前記記録媒体との間の位置関係を制御する制御工程と、前記制御信号に基づいて前記記録媒体のディフェクトを検出するディフェクト検出工程と、前記ディフェクト検出工程における検出結果により、前記ディフェクトが存在する場所を示すリストを作成または更新するリスト作成工程とを備えている。
【００１９】
上記課題を解決するために請求項３０に記載の情報読取方法は、記録媒体に記録された情報を読取手段により読み取る読取工程と、前記読取工程において読み取られた情報を復調する復調工程と、前記読取手段と前記記録媒体との間の位置関係または前記読取手段の読取動作の状態に応じて変化する制御信号に基づいて、前記読取手段と前記記録媒体との間の位置関係を制御する制御工程と、前記制御信号に基づいて前記記録媒体のディフェクトを検出するディフェクト検出工程と、前記ディフェクト検出工程における検出結果により、前記ディフェクトが存在する場所を示すリストを作成または更新するリスト作成工程とを備えている。
【００２０】
【発明の実施の形態】
以下、本発明の実施の形態を図面に基づいて説明する。
【００２１】
（情報記録装置の実施形態）
本発明の情報記録装置の実施形態について図１を参照して説明する。図１は本発明の情報記録装置の実施形態を示している。なお、図１は、本発明の実施形態による情報記録装置の構成要素等を、その技術思想を説明する限りにおいて具体化したものであり、各構成要素等の形状、大きさ、位置、接続関係などは、これに限定されるものではない。このことについては、本発明の情報記録装置の他の実施形態および本発明の情報読取装置の実施形態の説明で用いる図２ないし図５についても同様である。
【００２２】
図１中の情報記録装置１０は、本発明の情報記録装置の実施形態であり、これは、情報を、ヘッド、ピックアップ、プローブなどの記録手段を介して記録媒体の記録面に記録する装置である。一般に記録媒体には、光記録媒体、光磁気記録媒体、相変化記録媒体、誘電体記録媒体など様々あるが、情報記録装置１０における記録媒体は、これらの記録媒体のいずれであってもよい。もっとも、光ディスク、磁気ディスク、光磁気ディスク、相変化ディスク、誘電体ディスク、誘電体カード状記録媒体のような比較的記録面に傷が形成される可能性が高く、また記録面に塵、埃、汚れなどが付着する可能性が高い記録媒体、すなわちディフェクトの存在が想定される記録媒体に対し、情報記録装置１０の有利な効果が顕著に得られる場合が多い。また、情報記録装置１０による情報記録に用いられる記録媒体は、情報の書換または追記が可能な記録媒体である。情報記録装置１０により記録媒体に記録する情報は、コンピュータプログラム、画像データ、音声データ、文書データ、数値データ、制御データなどが典型的であるが、これらに限られない。
【００２３】
情報記録装置１０は、図１に示すように、取得手段１１、記録手段１２、制御手段１３、ディフェクト検出手段１４およびリスト作成手段１５を備えている。
【００２４】
取得手段１１は、情報を取得する手段である。取得手段１１は、外部機器等から情報記録装置１０に供給される情報を受け取る機能を有する手段であれば何でもよい。例えば、取得手段１１は、入出力制御回路またはインターフェース等が典型的であるが、情報を無制限に受け取るような場合には、単なる入力端子または入力線路であってもよい。なお、情報記録装置が情報を生成するような装置ないし回路等を一体的に含んでいる場合には、取得手段１１は、そのような装置ないし回路から情報を受け取る手段であってもよい。
【００２５】
記録手段１２は、取得手段１１により取得された情報を記録媒体に記録する手段である。記録手段１２は、例えば、ヘッド、ピックアップまたはプローブなどであり、記録媒体の種類に応じて任意に選択することができる。例えば記録媒体が光ディスクである場合には、記録手段１２は、光ピックアップであることが好ましい。
【００２６】
制御手段１３は、記録手段１２と記録媒体との間の位置関係または記録手段１２の記録動作の状態に応じて変化する制御信号に基づいて記録手段１２と記録媒体との間の位置関係または記録手段１２の記録動作を制御する手段である。情報を記録媒体の記録面の特定の場所に記録する場合には、記録手段１２が記録媒体上のその特定の場所に対応する位置となるように、記録手段１２または記録媒体を移動させる必要がある。例えば、記録媒体が光ディスクである場合には、光ピックアップの照射位置を特定のトラック上に位置させる必要がある。一方、記録方式によっては、記録手段１２と記録媒体との間の適切な離間距離または適度な接触強度を設定する必要がある。例えば、記録媒体が光ディスクである場合には、光ピックアップから照射される光ビームの焦点が光ディスクの記録面ないし記録層に合うように、光ピックアップと光ディスクとの間の離間距離（具体的にはレンズの焦点距離）を設定する必要がある。このように、制御手段１３は、記録媒体の記録面に平行な方向または記録面に直交する方向に関して、記録手段１２と記録媒体との間の位置関係を制御する手段である。他方で、情報の記録を実現するためには、記録手段１２が記録媒体に付与する光、熱、磁気、電圧または圧力などを適切に設定する必要がある。例えば、記録媒体が光ディスである場合には、光ピックアップから照射される光ビームの強度を適切に設定する必要がある。制御手段１３は、光ビームの強度などの記録手段の記録動作を制御する手段であってもよい。このような制御手段１３は、例えばサーボ制御回路によって実現することができる。
【００２７】
また、制御手段１３による制御に用いられる制御信号は、記録手段１２と記録媒体との間の位置関係または記録手段１２の記録動作の状態に応じて変化する信号である。例えば、制御手段１３が記録手段１２と記録媒体との間の位置関係をサーボ制御するサーボ制御回路である場合には、この制御信号は、記録手段１２と記録媒体との間の位置関係をサーボ制御するためのサーボ制御信号である。このサーボ制御信号は、通常、記録手段１２と記録媒体との間の位置関係に応じて変化する。より具体的には、制御手段１３が光ピックアップと光ディスクとの間の位置関係を制御するサーボ制御回路である場合には、制御信号として、光ピックアップから出力されるＲＦ（Ｒａｄｉｏ  Ｆｒｅｑｕｅｎｃｙ）信号を用いることができる。また、制御信号として、トラックエラー信号またはフォーカスエラー信号を用いてもよい。また、制御手段１３が記録手段１２の記録動作をサーボ制御するサーボ制御回路である場合には、制御信号は、記録手段１２の記録動作を制御するためのサーボ制御信号である。このサーボ制御信号は、通常、記録手段１２の記録動作の状態に応じて変化する。より具体的には、制御手段１３が光ピックアップから照射される光ビームの強度をサーボ制御するためのサーボ制御回路である場合には、制御信号として、光ピックアップから出力されるＲＦ信号などを用いることができる。特に、制御信号は、記録媒体の記録面ないし記録層にディフェクトが存在するときに、敏感に変化する信号であることが望ましい。この観点からすると、制御信号としてＲＦ信号、トラックエラー信号またはフォーカスエラー信号を用いることが望ましい。
【００２８】
ディフェクト検出手段１４は、制御信号に基づいて記録媒体のディフェクトを検出する手段である。例えば、記録媒体の記録面上に傷が形成されている場合には、記録手段１２と記録媒体の記録面との間の離間距離が傷の深さに応じて変化する。また、記録媒体の記録面上に指紋による汚れが付着している場合には、記録手段１２の記録動作の状態が変化する。例えば、光ディスクの記録面上に汚れが付着している場合には、光ピックアップから照射される光ビームが光ディスクの鏡面に反射する際の反射率が変化する。この結果、記録媒体の記録面上ないし記録層内の傷または汚れなどのディフェクトの存在によって、制御信号が変化する。したがって、制御信号の変化に基づいてディフェクトの存在を検出することができる。さらに、記録媒体の記録面と平行な方向に関する記録手段１２と記録媒体との間の位置関係などに基づいて、記録手段１２が情報を記録する位置を示す情報（例えば記録面上の物理アドレス）を得ることができるので、この位置情報とディフェクトの検出結果とを合わせれば、記録媒体上においてディフェクトが存在する場所を特定することができる。特に、記録媒体が光ディスクである場合には、ＲＦ信号、トラックエラー信号およびフォーカスエラー信号は、ディフェクトの存在に応じて振幅が敏感に変化する。このため、これらの信号のいずれかを制御信号として用いることにより、ディフェクトの検出を高精度に行うことができ、かつディフェクトの存在する場所を正確に特定することができる。
【００２９】
リスト作成手段１５は、ディフェクト検出手段１４の検出結果により、ディフェクトが存在する場所を示すリストを作成または更新する手段である。例えば、ディフェクト検出手段の検出結果に基づいてディフェクトの存在する記録面上の位置を示す位置情報（例えばアドレス）を取得することができる場合には、リスト作成手段１５は、その位置情報をメモリ等の記憶手段に記憶させる。そして、リスト作成手段１５は、記録手段１２による情報記録の実行中に得られるディフェクトの位置情報を収集し、記憶手段内に蓄積する。これにより、記憶手段内には、記録媒体の記録面上ないし記録層内に存在する１ないし複数のディフェクトの位置を示す位置情報のリスト、すなわちディフェクトリストが作成される。なお、すでに過去に作成されたディフェクトリストが記憶手段内に存在する場合には、現在得られたディフェクトの位置情報をもって、そのディフェクトリストを書換または追記し、ディフェクトリストを更新する構成としてもよい。
【００３０】
記録手段１２と記録媒体との間の位置関係または記録手段１２の記録動作の状態に応じて変化する制御信号、例えばＲＦ信号、トラックエラー信号またはフォーカスエラー信号は、記録手段１２が情報を記録媒体に記録している最中に得られる。そして、この制御信号に基づいてディフェクトを検出し、このディフェクト検出結果に基づいて直ちにディフェクトリストを作成・更新するので、ディフェクトリストの作成・更新を、情報の記録時に行うことができる。
【００３１】
以上より、情報記録装置１０によれば、情報の記録時にディフェクトリストを作成・更新することができるので、情報の照合時または再生時でなければディフェクトリストを作成することができない従来の情報記録装置と比較して、ディフェクトリストの作成効率を高めることができ、ディフェクトリストを利用する機会を増やすことができる。例えば、本実施形態に係る情報記録装置１０によれば、情報の記録のみを連続的に行い、これによりディフェクトリストを作成・更新し、記録が終了した後で、ただ今作成したばかりの最新のディフェクトリストを参照しながら、ディフェクトが存在する部分の記録状態を確認することができる。これにより、記録が失敗している可能性が高い場所のみを効率よく確認することができる。
【００３２】
（情報記録装置の実施形態の具体的態様１）
本発明の情報記録装置の実施形態の具体的な態様について図１および図２を参照して説明する。図２は、図１に示す情報記録装置１０のディフェクト検出手段１４の具体的な態様の一例を示している。
【００３３】
図２に示すように、ディフェクト検出手段１４に、ディフェクト検出情報生成手段２１およびディフェクト判定手段２２を備える構成としてもよい。
【００３４】
ディフェクト検出情報生成手段２１は、制御信号に基づいてディフェクトの存否を示すディフェクト検出情報を生成する手段である。ディフェクトの存否を示すディフェクト検出情報は、例えば、ディフェクトの存否に対応して内容が変化する情報であってもよいし、ディフェクトの存否に対応して振幅または周波数が変化する信号であってもよい。
【００３５】
ディフェクト判定手段２２は、ディフェクト検出情報生成手段２１により生成されたディフェクト検出情報に基づいて、ディフェクトの程度を認識し、このディフェクトの程度が基準程度を超えたか否かを判定する手段である。例えば、ディフェクト検出情報が、記録媒体の記録面上に存在する塵の大きさに応じて振幅の変化量が異なる信号である場合には、ディフェクト判定手段２２は、そのディフェクト検出情報の振幅の変化量の大小を検出してディフェクトの大きさを認識することができる。この場合、ディフェクト判定手段２２は、実際に得られたディフェクト検出情報の振幅を、予め設定された振幅の基準値と比較することによって、ディフェクトの大きさが基準の大きさを超えたか否かを判定することができる。
【００３６】
また、ディフェクト検出情報がディフェクトの存在・不存在を示す２値情報である場合には、ディフェクト判定手段２２は、ディフェクトの存在を示す値が連続的に得られる期間を計測し、これに基づいてディフェクトの大きさを推測することができる。さらに、ディフェクトの存在を示す値が短期間のうちに断続的に多数得られる場合には、ディフェクト判定手段２２は、細かいディフェクトが狭い領域に密集して存在することを推測することができる。この場合、ディフェクト判定手段２２は、ディフェクトの存在を示す値が連続的または断続的に得られた期間を、予め設定された基準値と比較することによって、ディフェクトの程度が基準程度を超えたか否かを判定することができる。
【００３７】
さらに、本態様においてリスト作成手段１５は、ディフェクト判定手段２２の判定結果に基づき、ディフェクトの程度が基準程度を超えたときに、当該ディフェクトが存在する場所を示す位置情報をリストに記録する。
【００３８】
このような構成によれば、ディフェクトの程度が基準程度を越えたときに限り、ディフェクトリストの作成・更新が行われるので、情報記録の障害とならないような軽微なディフェクトをディフェクトリストから除外することができる。また、細かいディフェクトが狭い領域に密集している場合には、このようなディフェクトが存在する領域を示す位置情報をリストに記録することができるので、情報記録の障害となり得るディフェクトないしディフェクト群を高精度に検出し、ディフェクトリストに反映することができる。このように、現実的に情報記録の障害となる可能性の高いディフェクトのみをディフェクトリストに収集することができる。
【００３９】
（情報記録装置の実施形態の具体的態様２）
本発明の情報記録装置の実施形態の他の態様について図１ないし図４を参照して説明する。図３は、図２に示すディフェクト判定手段２２の具体的な態様の一例を示している。図４は記録媒体のトラック構造の一例を示している。
【００４０】
図３に示すように、ディフェクト判定手段２２に、欠陥ユニット判定手段３１および欠陥ブロック判定手段３２を備える構成としてもよい。この場合、図４に示すように、記録媒体の記録面に形成されたトラックを複数のブロックに分割し、さらに各ブロックを複数のユニットに分割する。
【００４１】
欠陥ユニット判定手段３１は、ある１個のユニット内においてディフェクトが存在する部分が占める割合が第１基準を超えたときに当該ユニットを欠陥ユニットと判定する手段である。欠陥ユニット判定手段３１は、ディフェクト検出情報生成手段２１により生成されたディフェクト検出情報に基づいて個々のユニットが欠陥ユニットか否かを判定する。上述したように、ディフェクト検出情報は、記録媒体の記録面上ないし記録層内におけるディフェクトの存否を示す情報である。ディフェクト検出情報の検出の場所的単位が、ユニットよりも十分に細かい場合には、ディフェクト検出情報に基づいて、１個のユニット内においてディフェクトが存在する部分とディフェクトが存在していない部分とを認識することができる。これにより、１個のユニット内に１個のユニット内においてディフェクトが存在する部分が占める割合を認識することができる。例えば、欠陥ユニット判定手段３１は、１個のユニット内においてディフェクトが存在する部分が占める割合を認識し、実際に認識された割合を、予め設定された第１基準と比較し、その割合が第１基準を超えたときに当該ユニットを欠陥ユニットと判定する。
【００４２】
欠陥ブロック判定手段３２は、欠陥ユニット判定手段３１による判定結果に基づき、ある１個のブロック内に存在する欠陥ユニットの個数が第２基準を超えたときに当該ブロックを欠陥ブロックと判定する手段である。例えば、欠陥ブロック判定手段３２は、欠陥ユニット判定手段３１による判定結果に基づき、１個のブロック内に存在する欠陥ユニットの個数をカウントし、その個数を、予め設定された第２基準と比較し、その個数が第２基準を超えたときに当該ブロックを欠陥ブロックと判定する。
【００４３】
そして、本態様においてリスト作成手段１５は、欠陥ブロックの位置を示す位置情報をディフェクトリストに記録する。
【００４４】
このような構成によれば、欠陥ブロックと判定されたブロックの位置情報のみがディフェクトリストに記録されるので、情報記録の障害とならないような軽微なディフェクトが存在するにすぎないブロックの位置情報をディフェクトリストから除外することができる。例えば、情報の記録に支障のないようなきわめて細かいディフェクトが記録面上において散在している場合には、１個のユニットに存在するディフェクトの割合が第１基準を超えることはないので、当該ユニットが欠陥ユニットと判定されることはない。そして、このような情報の記録に支障のないユニットが１個のブロック内に多数含まれる場合には、当該ブロックが欠陥ブロックと判定されることもない。この結果、情報の記録に支障のないようなきわめて細かいディフェクトが記録面上において散在している場合には、ブロックの位置情報はディフェクトリストに記録されない。一方、多数の細かいディフェクトが記録面上の狭い領域に密集している場合には、それは情報記録の支障となる可能性が高い。１個のユニット内に多数の細かいディフェクトが密集している場合には、そのユニット内に存在するディフェクトの割合が第１基準を超えるので、当該ユニットは欠陥ユニットと判定される。さらに、多数の細かいディフェクトが、この欠陥ユニットの周辺に位置するユニットにも拡散しかつ密集している場合には、それらのユニットも欠陥ユニットを判定される。その結果、１個のブロック内の欠陥ユニットの個数が第２基準を超えるので、当該ブロックは欠陥ブロックと判定される。この結果、多数の細かいディフェクトが記録面上の狭い領域に密集している場合には、その領域に対応するブロックの位置情報がディフェクトリストに記録される。したがって、現実的に情報記録の障害となる可能性の高いディフェクトを含むブロックのみをディフェクトリストに記録することができる。
【００４５】
ブロックおよびユニットのそれぞれの大きさは、記録情報の記録単位、記録媒体の記録密度、記録手段１２の性能、記録手段１２と記録媒体との間の位置関係を制御する単位、記録手段１２の記録動作を制御する単位、記録媒体に記録すべき情報もしくは記録媒体から読み取る情報に対する処理の単位、または変調・復調処理の都合などにより決することが望ましい。例えば、ブロックをＥＣＣ（Ｅｒｒｏｒ−Ｃｏｒｒｅｃｔｉｎｇ  Ｃｏｄｅ）ブロックに対応させてもよい。また、ユニットをフレームに対応させてもよい。これにより処理の効率を高めることができる。
【００４６】
（情報読取装置の実施形態）
本発明の情報読取装置の実施形態について図５を参照して説明する。図５は本発明の情報読取装置の実施形態を示している。
【００４７】
図５中の情報読取装置４０は、本発明の情報読取装置の実施形態であり、これは記録媒体の記録面に記録された情報を、ヘッド、ピックアップ、プローブなどの読取手段を介して読み取る装置である。情報読取装置４０により用いられる記録媒体は、光記録媒体、光磁気記録媒体、相変化記録媒体、誘電体記録媒体のいずれであってもよいが、これらのうち、光ディスク、磁気ディスク、光磁気ディスク、相変化ディスク、誘電体ディスク、誘電体カード状記録媒体のような比較的記録面に傷が形成される可能性が高く、また記録面に塵、埃、汚れなどが付着する可能性が高い記録媒体、すなわちディフェクトの存在が想定される記録媒体を用いた場合には、情報読取装置１０における有利な効果が顕著に得られる場合が多い。また、情報読取装置１０に用いられる記録媒体は、読取専用の記憶媒体であると、書換・追記可能な記録媒体であるとを問わない。
【００４８】
情報読取装置１０は、図５に示すように、読取手段４１、復調手段４２、制御手段４３、ディフェクト検出手段４４およびリスト作成手段４５を備えている。
【００４９】
読取手段４１は、記録媒体に記録された情報を読み取る手段である。読取手段４２は、例えば、ヘッド、ピックアップまたはプローブなどであり、記録媒体の種類に応じて任意に選択することができる。例えば記録媒体が光ディスクである場合には、読取手段４１は、光ピックアップであることが好ましい。
【００５０】
復調手段４２は、読取手段４１により読み取られた情報を復調する手段である。
【００５１】
制御手段４３は、読取手段４１と記録媒体との間の位置関係または読取手段４１の読取動作の状態に応じて変化する制御信号に基づいて読取手段４１と記録媒体との間の位置関係または読取手段４１の読取動作を制御する手段である。情報を記録媒体の記録面の特定の場所から読み取る場合には、読取手段４１が記録媒体上のその特定の場所に対応する位置となるように、読取手段４１または記録媒体を移動させる必要がある。例えば、記録媒体が光ディスクである場合には、光ピックアップの照射位置を特定のトラック上に位置させる必要がある。一方、読取方式によっては、読取手段４１と記録媒体との間の適切な離間距離または適度な接触強度を設定する必要がある。例えば、記録媒体が光ディスクである場合には、光ピックアップから照射される光ビームの焦点が光ディスクの記録面ないし記録層に合うように、光ピックアップと光ディスクとの間の離間距離（具体的にはレンズの焦点距離）を設定する必要がある。このように、制御手段１３は、記録媒体の記録面に平行な方向または記録面に直交する方向に関して、読取手段４１と記録媒体との間の位置関係を制御する手段である。他方で、情報の読取を実現するためには、読取手段４１が記録媒体に付与する光、熱、磁気、電圧または圧力などを適切に設定する必要がある。例えば、記録媒体が光ディスである場合には、光ピックアップから照射される光ビームの強度を適切に設定する必要がある。制御手段１３は、光ビームの強度などの読取手段４１の読取動作を制御する手段であってもよい。このような制御手段１３は、例えばサーボ制御回路によって実現することができる。
【００５２】
また、制御手段１３による制御に用いられる制御信号は、読取手段４１と記録媒体との間の位置関係または読取手段４１の読取動作の状態に応じて変化する信号である。例えば、制御手段１３が読取手段４１と記録媒体との間の位置関係をサーボ制御するサーボ制御回路である場合には、この制御信号は、読取手段４１と記録媒体との間の位置関係をサーボ制御するためのサーボ制御信号である。このサーボ制御信号は、通常、読取手段４１と記録媒体との間の位置関係に応じて変化する。より具体的には、制御手段１３が光ピックアップと光ディスクとの間の位置関係を制御するサーボ制御回路である場合には、制御信号として、光ピックアップから出力されるＲＦ信号を用いることができる。また、制御信号として、トラックエラー信号またはフォーカスエラー信号を用いてもよい。また、制御手段１３が読取手段４１の読取動作をサーボ制御するサーボ制御回路である場合には、制御信号は、読取手段４１の読取動作を制御するためのサーボ制御信号である。このサーボ制御信号は、通常、読取手段４１の読取動作の状態に応じて変化する。より具体的には、制御手段が光ピックアップから照射される光ビームの強度をサーボ制御するためのサーボ制御回路である場合には、制御信号として、光ピックアップから出力されるＲＦ信号などを用いることができる。特に、制御信号は、記録媒体の記録面ないし記録層にディフェクトが存在するときに、敏感に変化する信号であることが望ましい。この観点からすると、制御信号としてＲＦ信号、トラックエラー信号またはフォーカスエラー信号を用いることが望ましい。
【００５３】
ディフェクト検出手段４４は、制御信号に基づいて記録媒体のディフェクトを検出する手段である。例えば、記録媒体の記録面上に傷が形成されている場合には、読取手段４１と記録媒体の記録面との間の離間距離が傷の深さに応じて変化する。また、記録媒体の記録面上に指紋による汚れが付着している場合には、読取手段４１の読取動作の状態が変化する。例えば、光ディスクの記録面上に汚れが付着している場合には、光ピックアップから照射される光ビームが光ディスクの鏡面に反射する際の反射率が変化する。この結果、記録媒体の記録面上ないし記録層内の傷または汚れなどのディフェクトの存在によって、制御信号が変化する。したがって、制御信号の変化に基づいてディフェクトの存在を検出することができる。さらに、記録媒体の記録面と平行な方向に関する読取手段４１と記録媒体との間の位置関係などに基づいて、読取手段４１が情報を読み取る位置を示す情報（例えば記録面上の物理アドレス）を得ることができるので、この位置情報とディフェクトの検出結果とを合わせれば、記録媒体上においてディフェクトが存在する場所を特定することができる。特に、記録媒体が光ディスクである場合には、ＲＦ信号、トラックエラー信号およびフォーカスエラー信号は、ディフェクトの存在に応じて振幅が敏感に変化する。このため、これらの信号のいずれかを制御信号として用いることにより、ディフェクトの検出を高精度に行うことができ、かつディフェクトの存在する場所を正確に特定することができる。
【００５４】
リスト作成手段４５は、ディフェクト検出手段４４の検出結果により、ディフェクトが存在する場所を示すリストを作成または更新する手段である。例えば、ディフェクト検出手段の検出結果に基づいてディフェクトの存在する記録面上の位置を示す位置情報（例えばアドレス）を取得することができる場合には、リスト作成手段４５は、その位置情報をメモリ等の記憶手段に記憶させる。そして、リスト作成手段４５は、読取手段４１による情報記録の実行中に得られるディフェクトの位置情報を収集し、記憶手段内に蓄積する。これにより、記憶手段内には、記録媒体の記録面上ないし記録層内に存在する１ないし複数のディフェクトの位置を示す位置情報のリスト、すなわちディフェクトリストが作成される。なお、すでに過去に作成されたディフェクトリストが記憶手段内に存在する場合には、現在得られたディフェクトの位置情報をもって、そのディフェクトリストを書換または追記し、ディフェクトリストを更新する構成としてもよい。
【００５５】
以上より、情報読取装置４０によれば、読取手段４１と記憶媒体との間の位置関係または読取手段４１の読取動作の状態に応じて変化する制御信号に基づいてディフェクトを検出し、この検出結果に基づいてディフェクトリストを作成する構成としたから、きわめて高精度にディフェクトリストを作成・更新することができる。すなわち、記録媒体の記録密度が高い場合には、読取手段４１と記憶媒体との間の位置関係はきわめて細かい単位で制御され、また、読取手段４１の読取動作の状態もきわめて細かい単位で制御される。このため、読取手段４１と記憶媒体との間の位置関係または読取手段４１の読取動作の状態の制御を実現するための制御信号には、読取手段４１と記憶媒体との間の位置関係または読取手段４１の読取動作の状態がきめ細かく反映される。この結果、記録媒体の記録面上ないし記録層内にきわめて小さなディフェクトが存在する場合でも、そのディフェクトの存在に応じて制御信号が変化する。ディフェクト検出手段４４は、このような制御信号に基づいてディフェクトを検出するので、ディフェクトをきわめて高精度に検出することができる。そして、リスト作成手段４５は、ディフェクト検出手段４４の高精度な検出結果に基づいてディフェクトリストを作成・更新するので、きわめて高精度にディフェクトリストを作成・更新することができる。例えば、情報の記録・読取に現実的に支障がないディフェクトを除外し、他方で、情報の記録・読取に現実的に支障があるディフェクトを確実に把握することができる。
【００５６】
（情報読取装置の実施形態の具体的態様１）
本発明の情報読取装置の実施形態の具体的な態様について図５を参照して説明する。
【００５７】
図５中に点線で示すように、情報読取装置４０にエラー訂正手段４６を追加してもよい。エラー訂正手段４６は、復調手段４２により復調された情報に対しエラー訂正を行い、エラー訂正不能なときにはその旨を実質的に示すエラー訂正不能情報を出力する手段である。記録媒体の記録面上または記録層内にディフェクトが存在すると、その部分に情報を正常に記録することができず、また、情報の記録がうまくいったとしても、それを正常に読み取ることができない。ディフェクトの程度が大きい場合には、読取手段４１により読み取られた情報に対してエラー訂正をすることができない場合がある。エラー訂正手段４６は、このようにエラー訂正が不能なときに、その旨を実質的に示すエラー訂正不能情報を出力する。エラー訂正不能情報は、例えば、エラー訂正が不能であるか否かに応じて値が変化する２値の情報である。なお、エラー訂正不能情報は、他の表現方法を用いてエラー訂正不能を表現する情報であってもよい。
【００５８】
そして、本態様において、リスト作成手段４５は、ディフェクト検出手段４４による検出結果およびエラー訂正手段４６から出力されるエラー訂正不能情報に基づいてリストを作成または更新する。
【００５９】
このように構成によれば、ディフェクトの存在を、制御信号に基づく検出過程とエラー訂正に基づく検出過程との２種類の検出過程によって判定することができ、ディフェクトリストの作成・更新をより一層高精度に行うことができる。
【００６０】
（情報読取装置の実施形態の具体的態様２）
本発明の情報読取装置の実施形態の具体的な態様について図２および図５を参照して説明する。
【００６１】
図２に示す情報記録装置１０のディフェクト検出手段１４と同様に、情報読取装置４０のディフェクト検出手段４４に、制御信号に基づいてディフェクトの存否を示すディフェクト検出情報を生成するディフェクト検出情報生成手段２１と、ディフェクト検出情報生成手段２１により生成されたディフェクト検出情報に基づいて、ディフェクトの程度を認識し、このディフェクトの程度が基準程度を超えたか否かを判定するディフェクト判定手段２２を備える構成としてもよい。この場合、リスト作成手段４５は、ディフェクト判定手段２２の判定結果に基づき、ディフェクトの程度が基準程度を超えたときに、当該ディフェクトが存在する場所を示す位置情報をリストに記録する構成とする。
【００６２】
このような構成によれば、ディフェクトの程度が基準程度を越えたときに限り、ディフェクトリストの作成・更新が行われるので、情報の記録・読取の障害とならないような軽微なディフェクトをディフェクトリストから除外することができる。また、細かいディフェクトが狭い領域に密集している場合には、このようなディフェクトが存在する領域を示す位置情報をリストに記録することができるので、情報の記録・読取の障害となり得るディフェクトないしディフェクト群を高精度に検出し、ディフェクトリストに反映することができる。このように、現実的に情報記録の障害となる可能性の高いディフェクトのみをディフェクトリストに収集することができる。
【００６３】
（情報読取装置の実施形態の具体的態様３）
本発明の情報読取装置の実施形態の他の態様について図３ないし図５を参照して説明する。
【００６４】
図４に示すように、記録媒体の記録面に形成されたトラックを複数のブロックに分割し、各ブロックをさらに複数のユニットに分割する構成とし、図３に示すように、ディフェクト判定手段２２に、ある１個のユニット内においてディフェクトが存在する部分が占める割合が第１基準を超えたときに当該ユニットを欠陥ユニットと判定する欠陥ユニット判定手段３１と、欠陥ユニット判定手段３１による判定結果に基づき、ある１個のブロック内に存在する欠陥ユニットの個数が第２基準を超えたときに当該ブロックを欠陥ブロックと判定する欠陥ブロック判定手段３２とを備える構成としてもよい。
【００６５】
このような構成によれば、現実的に情報記録の障害となる可能性の高いディフェクトを含むブロックのみをディフェクトリストに記録することができる。
【００６６】
なお、ブロックをＥＣＣブロックに対応させてもよい。また、ユニットをフレームに対応させてもよい。これにより処理の効率を高めることができる。
【００６７】
また、以上の情報記録装置または情報読取装置の実施形態は、専用の装置としてハードウェアと一体的に構成する形態で実現してもよいし、コンピュータにプログラムを読み込ませることによって実現してもよい。
【００６８】
（情報記録方法の実施形態）
本発明の情報記録方法の実施形態について説明する。本発明の実施形態に係る情報記録方法は、情報を取得する取得工程と、取得工程において取得された情報を記録手段により記録媒体に記録する記録工程と、記録手段と記録媒体との間の位置関係または記録手段の記録動作の状態に応じて変化する制御信号に基づいて記録手段と記録媒体との間の位置関係を制御する制御工程と、制御信号に基づいて記録媒体のディフェクトを検出するディフェクト検出工程と、ディフェクト検出工程における検出結果により、ディフェクトが存在する場所を示すリストを作成または更新するリスト作成工程とを備えている。
【００６９】
この情報記録方法は、情報を、ヘッド、ピックアップ、プローブなどの記録手段を介して記録媒体の記録面に記録する方法である。取得工程より取得された情報は、記録工程において記録手段を介して記録媒体に記録される。一方、制御工程においては、記録手段と記録媒体との間の位置関係または記録手段の記録動作の状態に応じて変化する制御信号に基づいて、記録手段と記録媒体との間の位置関係または記録手段の記録動作の制御が行われる。制御信号は、上述した情報記録装置１０の場合と同様に、例えば、記録媒体が光ディスクである場合には、ＲＦ信号、トラックエラー信号およびフォーカスエラー信号であることが望ましい。制御信号は、記録媒体の記録面上ないし記録層内の傷または汚れなどのディフェクトの存在によって変化するので、ディフェクト検出工程では、この制御信号の変化に基づいてディフェクトの存在が検出される。リスト作成工程では、ディフェクト検出工程における検出結果により、ディフェクトが存在する場所を示すリストの作成または更新が行われる。
【００７０】
記録手段と記録媒体との間の位置関係または記録手段の記録動作の状態に応じて変化する制御信号、例えばＲＦ信号、トラックエラー信号またはフォーカスエラー信号は、記録手段が情報を記録媒体に記録している最中に得られる。そして、この制御信号に基づいてディフェクトが検出され、このディフェクト検出結果に基づいて直ちにディフェクトリストが作成・更新される。したがって、記録工程、制御工程、制御工程、ディフェクト検出工程、リスト作成工程は、実質的に同時に、または連続的に実行される。この結果。ディフェクトリストの作成・更新を、情報の記録時に行うことができる。
【００７１】
以上より、本発明の実施形態に係る情報記録方法によれば、情報の記録時にディフェクトリストを作成・更新することができるので、情報の照合時または再生時でなければディフェクトリストを作成することができない従来の情報記録方法と比較して、ディフェクトリストの作成効率を高めることができ、ディフェクトリストを利用する機会を増やすことができる。
【００７２】
（情報読取方法の実施形態）
本発明の情報読取方法の実施形態について説明する。本発明の実施形態に係る情報読取方法は、記録媒体に記録された情報を読取手段により読み取る読取工程と、読取工程において読み取られた情報を復調する復調工程と、読取手段と記録媒体との間の位置関係または読取手段の読取動作の状態に応じて変化する制御信号に基づいて読取手段と記録媒体との間の位置関係を制御する制御工程と、制御信号に基づいて記録媒体のディフェクトを検出するディフェクト検出工程と、ディフェクト検出工程における検出結果により、ディフェクトが存在する場所を示すリストを作成または更新するリスト作成工程とを備えている。
【００７３】
この情報読取方法は、記録媒体の記録面に記録された情報を、ヘッド、ピックアップ、プローブなどの読取手段を介して読み取る方法である。読取工程において、記録媒体に記録された情報が読み取られ、復調工程においてこの情報が復調される。一方、制御工程においては、読取手段と記録媒体との間の位置関係または読取手段の読取動作の状態に応じて変化する制御信号に基づいて、読取手段と記録媒体との間の位置関係または読取手段の読取動作の制御が行われる。制御信号は、上述した情報読取装置４０の場合と同様に、例えば、記録媒体が光ディスクである場合には、ＲＦ信号、トラックエラー信号およびフォーカスエラー信号であることが望ましい。制御信号は、記録媒体の記録面上ないし記録層内の傷または汚れなどのディフェクトの存在によって変化するので、ディフェクト検出工程では、この制御信号の変化に基づいてディフェクトの存在が検出される。リスト作成工程では、ディフェクト検出工程における検出結果により、ディフェクトが存在する場所を示すリストの作成または更新が行われる。
【００７４】
以上より、本発明の実施形態に係る情報読取方法によれば、読取手段と記憶媒体との間の位置関係または読取手段の読取動作の状態に応じて変化する制御信号に基づいてディフェクトを検出し、この検出結果に基づいてディフェクトリストを作成する構成としたから、きわめて高精度にディフェクトリストを作成・更新することができる。
【００７５】
【実施例】
以下、本発明の実施例を図面に基づいて説明する。以下の実施例は、本発明の情報記録装置および情報読取装置を包含する情報記録読取装置をＤＶＤ−ＲＡＭドライブ装置に適用した例である。
【００７６】
（第１実施例）
図６は本発明の第１実施例に係るＤＶＤ−ＲＡＭドライブ装置の全体的な構成を示している。
【００７７】
図６に示すように、本発明の第１実施例に係るドライブ装置１００は、ＤＶＤ−ＲＡＭ５０に情報を記録すると共に、ＤＶＤ−ＲＡＭ５０に記録された情報を読み取る装置である。
【００７８】
ＤＶＤ−ＲＡＭ５０は書換可能な光ディスクである。ＤＶＤ−ＲＡＭ５０はウォブルランドグルーブ方式を採用しており、その記録面上にはウォブルの付いたランドおよびグルーブ並びにプリピットなどが予め形成されている。
【００７９】
ドライブ装置１００は、図６に示すように、スピンドルモータ５１、光ピックアップ５２、ＲＦアンプ５３およびサーボ回路５４を備えている。これらの要素は、主としてドライブ装置１００の駆動機構およびその駆動制御手段を構成するものである。
【００８０】
スピンドルモータ５１はＤＶＤ−ＲＡＭ５０を回転させるモータである。
【００８１】
光ピックアップ５２は、ＤＶＤ−ＲＡＭ５０の記録面に対して光ビームを照射することによって情報を記録面上に記録すると共に、光ビームの反射光を受け取ることによって記録面上に記録された情報を読み取る装置である。以下、光ピックアップ５２の光ビームによりＤＶＤ−ＲＡＭ５０に記録すべきまたは記録された情報を「記録情報」と呼ぶ。
【００８２】
光ピックアップ５２は、記録時および読取時のいずれにおいても、光ビームの反射光に対応するＲＦ信号を出力する。ＤＶＤ−ＲＡＭ５０の記録面上にはウォブルの付いたランドおよびグルーブ並びにプリピットなどが予め形成されているので、ＲＦ信号の中にはウォブル、ランド、グルーブ、プリピット等の制御情報が含まれている。さらに、ＤＶＤ−ＲＡＭ５０に記録情報がすでに記録されている場合には、この記録情報もＲＦ信号の中に取り込まれる。
【００８３】
ＲＦアンプ５３は、光ピックアップ５２から出力されたＲＦ信号を増幅して、そのＲＦ信号を変調復調部５７およびディフェクト検出部５９にそれぞれ出力する。図６中の符号「ＲＦ」は、ＲＦアンプ５３により増幅されて出力されたＲＦ信号を示している。さらに、ＲＦアンプ５３は、ＲＦ信号から、ウォブル周波数信号ＷＦ、トラックエラー信号ＴＥおよびフォーカスエラー信号ＦＥを作り出し、これらを出力する。
【００８４】
サーボ回路５４は、トラックエラー信号ＴＥ、フォーカスエラー信号ＦＥその他のサーボ制御信号に基づいて光ピックアップ５２およびスピンドルモータ５１の駆動を制御するサーボ制御回路である。すなわち、トラックエラー信号ＴＥは、記録面に平行な方向に関する、光ピックアップ５２とＤＶＤ−ＲＡＭ５０との間の位置関係に応じて変化する。サーボ回路５４は、トラックエラー信号ＴＥに基づいて、光ピックアップ５２とＤＶＤ−ＲＡＭ５０との間の位置関係を制御する。また、フォーカスエラー信号ＦＥは、光ピックアップ５２の光ビームのフォーカシングの状態に応じて変化する。サーボ回路５４は、フォーカスエラー信号ＦＥに基づいて、光ピックアップ５２の光ビームのフォーカシングを制御する。
【００８５】
さらに、ドライブ装置１００は、図６に示すように、インターフェース５５、バッファ５６、変調復調部５７および光ビーム駆動部５８を備えている。これらの要素は、主としてＤＶＤ−ＲＡＭ５０に記録すべき記録情報の受取および変調を担うと共に、ＤＶＤ−ＲＡＭ５０から読み取られた記録情報の復調および出力を担う。
【００８６】
インターフェース５５は、ドライブ装置１００と外部機器との間の記録情報等の入出力制御ないし通信制御を行う回路である。具体的には、インターフェース５５は、記録時においては、外部機器からドライブ装置１００に入力される記録情報を受け取り、これをバッファ５６に出力する。また、インターフェース５５は、再生時においては、バッファ５６から出力される記録情報（すなわちＤＶＤ−ＲＡＭ５０から読み取られた記録情報）を外部機器へ出力する。なお、外部機器は、例えばドライブ装置１００をパーソナルコンピュータの周辺機器として用いるのであれば、パーソナルコンピュータであり、ドライブ装置１００をＤＶＤレコーダまたはプレーヤの中に組み込むのであれば、ＤＶＤレコーダまたはプレーヤのバックエンド（例えば音声・画像をＭＰＥＧ圧縮・復調する回路や、音声・画像を最終的に出力するための情報変換処理などを行う回路等を備えた部分）である。
【００８７】
バッファ５６は、記録情報を一時的に蓄える記憶回路である。
【００８８】
変調復調部５７は、記録時において、記録情報にエラー訂正符号を付加してこれを変調する機能と、読取時において、記録情報に対してエラー訂正を行う機能とを備えた回路である。具体的には、変調復調部５７は、記録時においては、バッファ５６から出力される記録情報にエラー訂正符号を付加した後、これを、ＤＶＤ−ＲＡＭ５０の光学的特定等に適合する符号となるように変調し、変調された記録情報を光ビーム駆動部５８に出力する。一方、変調復調部５７は、読取時においては、ＲＦアンプ５３から出力されるＲＦ信号を復調し、これに対してエラー訂正を行った後、これをバッファ５６に出力する。
【００８９】
光ビーム駆動部５８は、記録時において、変調復調部５７から出力された記録情報に対応する光ビーム駆動信号を生成し、これを光ピックアップ５２に出力する。光ピックアップ５２は、光ビーム駆動信号に基づいて光ビームを変調し、ＤＶＤ−ＲＡＭ５０の記録面に照射する。これにより、記録情報が記録面上に記録される。
【００９０】
さらに、ドライブ装置１００は、図６に示すように、ディフェクト検出部５９、ディフェクト判定部６０およびリスト作成管理部６１を備えている。これらの要素は、主としてＤＶＤ−ＲＡＭ５０の記録面上ないし記録層内に存在するディフェクトを検出し、その検出結果に基づいてディフェクトリストの作成・更新を行う。
【００９１】
ディフェクトとは、ＤＶＤ−ＲＡＭ５０の記録面上または記録層内に形成された傷、またはこれらの場所に付着した塵埃、汚れ等である。また、ＤＶＤ−ＲＡＭ５０の同じ場所に記録情報の記録を何度も繰り返し行うと、その場所が劣化し、記録機能が低下する場合がある。このような劣化もディフェクトに含まれる。
【００９２】
ディフェクト検出部５９は、ＲＦ信号およびトラックエラー信号ＴＥに基づいてＤＶＤ−ＲＡＭ５０のディフェクトを検出する回路である。そして、ディフェクト検出部５９は、ディフェクトの存否を示すディフェクト検出信号ＤＤを生成し、これを出力する。例えば、ＤＶＤ−ＲＡＭ５０の記録面上にディフェクトが存在すると、ＲＦ信号またはトラックエラー信号ＴＥの波形が通常と異なる波形に変化する。ディフェクト検出部５９は、ＲＦ信号およびトラックエラー信号ＴＥの波形を監視し、これらが通常の波形であるときには、ディフェクト検出信号ＤＤをハイレベルにする。一方、ＲＦ信号およびトラックエラー信号ＴＥが通常と異なる波形となったときには、ディフェクト検出部５９は、ディフェクト検出信号ＤＤをローレベルにする。この結果、ディフェクト検出信号ＤＤは、ＤＶＤ−ＲＡＭ５０の記録面上にディフェクトが存在しないときにはハイレベルとなり、ディフェクトが存在するときにはローレベルとなる（図８参照）。
【００９３】
ＲＦ信号は光ビームの反射光に対応する信号である。したがって、ＲＦ信号には、光ピックアップ５２の受光素子に入力される反射光の強度の変化がほぼそのまま反映される。よって、ＤＶＤ−ＲＡＭ５０の記録面上ないし記録層内にディフェクトが存在すると、ＲＦ信号には、その存在が高精度に反映される。例えば、きわめて細かいディフェクトが存在する場合でも、そのディフェクトの存在により、ＲＦ信号の波形は通常と異なる波形となる。このことは、トラックエラー信号ＴＥについても同様である。したがって、ディフェクト検出信号ＤＤはディフェクトの存在を高精度に、忠実に反映した信号となり、ディフェクト検出信号ＤＤの信号レベルは、記録面上にきわめて細かいディフェクトが散在している場合でも、それらのディフェクトの存在に対応して敏感に切り替わる。
【００９４】
ディフェクト判定部６０は、ディフェクト検出部５９から出力されたディフェクト検出信号ＤＤに基づいて、ディフェクトの程度を認識し、このディフェクトの程度が基準程度を超えたか否かを判定する回路である。そして、ディフェクト判定部６０は、ディフェクトの程度が基準程度を超えたときには、その旨を示すディフェクト判定信号ＦＤをリスト作成管理部６１に出力する。ディフェクト判定部６０についてはさらに後述する。
【００９５】
リスト作成管理部６１は、ディフェクト判定部６０から出力されたディフェクト判定信号ＦＤに基づいて、ディフェクトリストＤＬを作成し、または更新する回路である。ディフェクトリストＤＬとは、図９に示すように、記録面上に存在するディフェクトの位置を示す位置情報を記録したリストである。ディフェクトリストＤＬは、リスト作成管理部６１内に設けられた記憶回路に書換可能な状態で記憶されている。リスト作成管理部６１についてはさらに後述する。
【００９６】
さらに、図６に示すように、ドライブ装置１００はＣＰＵ６２を有している。ＣＰＵ６２は、ドライブ装置１００の全体的な制御および上述したドライブ装置１００内の各要素間の情報のやり取りを制御・管理する。
【００９７】
次に、図７はディフェクト判定部６０の内部構成を示している。図８はディフェクト判定部６０の動作中に生じる各種信号の波形を示している。以下、これらの図面を参照しながら、ディフェクト判定部６０の機能・構成、ディフェクト検出・判定およびディフェクトリストの作成・更新について説明する。
【００９８】
ディフェクト判定部６０は、上述したように、ディフェクト検出部５９から出力されたディフェクト検出信号ＤＤに基づいて、ディフェクトの程度を認識し、このディフェクトの程度が基準程度を超えたか否かを判定する回路である。ディフェクト判定部６０は、概ね次のような方法で、ディフェクトの程度が基準程度を超えたか否かを判定する。
【００９９】
ディフェクト判定部６０はディフェクトの程度の判定を、クラスタとフレームの２つの単位に基づいて行う。クラスタとは、ＤＶＤ−ＲＡＭ５０から読み取られたＲＦ信号（記録情報）を、第１長さをもって分割した場合の１個の部分を意味する。フレームとは、１個のクラスタを、第２長さをもってさらに分割した場合の１個の部分を意味する。一般に、ＤＶＤ−ＲＡＭにおける記録情報の記録処理および読取処理は、フレーム単位で行われる。また、一般に、ＤＶＤ−ＲＡＭにおける記録情報のエラー符号付加処理およびエラー訂正処理は、クラスタ（ＥＣＣブロック）単位で行われる。ディフェクト判定部６０は、ＤＶＤ−ＲＡＭにおける記録情報の記録処理および読取処理の単位であるフレームと、記録情報のエラー符号付加処理およびエラー訂正処理の単位であるクラスタとに基づいて、ディフェクトの程度を判定するのである。
【０１００】
具体的に説明すると、ディフェクト判定部６０は、１個のフレーム内においてディフェクトが存在する部分が占める割合を検出し、その割合が閾値Ｍを超えたときに、当該フレームを欠陥フレームと判定する。ディフェクト判定部６０は、このような判定処理を１個のクラスタに属するすべてのフレームについて行う。さらに、ディフェクト判定部６０は、当該１個のクラスタの中に含まれる欠陥フレームの個数をカウントし、その個数が閾値Ｎを超えたときに、当該クラスタを欠陥クラスタと判定する。このように、当該１個のクラスタにおけるディフェクトの程度が閾値Ｍおよび閾値Ｎとから定まる基準程度を超えたときに、当該クラスタが欠陥クラスタと判定されるのである。
【０１０１】
ディフェクト判定部６０は、このようなフレームおよびクラスタに対する一連のディフェクト判定処理を、記録時には記録情報の記録処理と同時に、読取時には記録情報に読取処理と同時に行う。すなわち、ディフェクト判定部６０は、記録処理および読取処理が実行されている間、その処理の対象となる１または複数のクラスタに対して、上述した一連のディフェクト判定処理を行う。
【０１０２】
ディフェクト判定部６０の上述した一連のディフェクト判定処理は、図７に示す具体的な回路によって実現される。
【０１０３】
図７に示すように、ディフェクト判定部６０は、ディフェクトカウンタ７１、欠陥フレーム閾値設定部７２、欠陥フレーム判定部７３、
欠陥フレームカウンタ７４、欠陥クラスタ閾値設定部７５および欠陥クラスタ判定部７６を備えている。
【０１０４】
ディフェクトカウンタ７１は、１個のフレーム内においてディフェクト検出信号ＤＤがローレベルとなっている期間の合計を計測するカウンタである。上述したように、ディフェクト検出信号ＤＤは、ＤＶＤ−ＲＡＭ５０の記録面上にディフェクトが存在しないときにハイレベルとなり、ディフェクトが存在するときにローレベルとなる。したがって、１個のフレーム内においてディフェクト検出信号ＤＤがローレベルになっている期間の合計と、１個のフレーム全体の期間とを認識することができれば、両者の比に基づいて、１個のフレーム内においてディフェクトが存在する部分が占める割合を知ることができる。ディフェクトカウンタ７１は、図７に示すように、ディフェクト検出信号ＤＤとクロック信号とを受け取り、図８に示すように、クロック信号を基準としてディフェクト検出信号ＤＤがローレベルとなっている期間の合計を計測し、その計測結果であるカウンタ値Ｃ１を出力する。なお、クロック信号は、ドライブ装置１００内に設けられたクロック発振器（図示せず）から供給される。また、ディフェクトカウンタ７１はフレームが変わる度に、そのカウンタ値Ｃ１をゼロにリセットする。
【０１０５】
欠陥フレーム閾値設定部７２は、閾値Ｍを記憶し、必要に応じて閾値Ｍを出力する回路である。
【０１０６】
欠陥フレーム判定部７３は、１個のフレーム内においてディフェクト検出信号ＤＤがローレベルとなっている期間の合計が、閾値Ｍを超えたか否かを判定する回路である。さらに、欠陥フレーム判定部７３は、１個のフレーム内においてディフェクト検出信号ＤＤがローレベルとなっている期間の合計が閾値Ｍを超えたときに、その旨を示す欠陥フレーム判定信号ＥＤを生成し、これを出力する。すなわち、欠陥フレーム判定部７３は、当該１個のフレームが欠陥フレームか否かを判定する機能を実現するものである。より具体的には、欠陥フレーム判定部７３は、図７に示すように、カウンタ値Ｃ１と閾値Ｍとを受け取り、両値を相互に比較する。そして、欠陥フレーム判定部７３は、図８に示すように、カウンタ値Ｃ１が閾値Ｍを超えたときに、欠陥フレーム判定信号ＥＤをハイレベルにする。一方、欠陥フレーム判定部７３は、カウンタ位置Ｃ１が閾値Ｍを超えないときには、欠陥フレーム判定信号ＥＤをローレベルにする。また、欠陥フレーム判定部７３は、フレームが変わる度に欠陥フレーム判定信号ＥＤをローレベルにする。
【０１０７】
欠陥フレームカウンタ７４は、１個のクラスタ内における欠陥フレームの個数をカウントするカウンタである。具体的には、欠陥フレームカウンタ７４は、図７に示すように、欠陥フレーム判定信号ＥＤを受け取り、欠陥フレーム判定信号ＥＤがローレベルからハイレベルに切り替わった回数をカウントし、そのカウント値Ｃ２を出力する。
【０１０８】
欠陥クラスタ閾値設定部７５は、閾値Ｎを記憶し、必要に応じて閾値Ｎを出力する回路である。
【０１０９】
欠陥クラスタ判定部７６は、１個のクラスタ内における欠陥フレームの個数が閾値Ｎを超えたか否かを判定する回路である。そして、欠陥クラスタ判定部７６は、１個のクラスタ内における欠陥フレームの個数が閾値Ｎを超えたときには、その旨を示すディフェクト判定信号ＦＤを生成し、これを出力する。すなわち、欠陥クラスタ判定部７６は、当該１個のクラスタが欠陥クラスタか否かを判定する機能を実現するものである。より具体的には、欠陥クラスタ判定部７６は、図７に示すように、カウンタ値Ｃ２と閾値Ｎとを受け取り、両値を相互に比較する。そして、欠陥クラスタ判定部７６は、図８に示すように、カウンタ位置Ｃ２が閾値Ｎを超えたときに、欠陥クラスタ判定信号ＦＤをハイレベルにする。一方、欠陥クラスタ判定部７６は、カウンタ位置Ｃ２が閾値Ｎを超えないときには、欠陥クラスタ判定信号ＦＤをローレベルにする。また、欠陥クラスタ判定部７６は、クラスタが変わる度に欠陥クラスタ判定信号ＦＤをローレベルにする。
【０１１０】
欠陥クラスタ判定信号ＦＤは、欠陥クラスタ判定部７６からリスト作成管理部６１に出力される。リスト作成管理部６１は、ディフェクト判定信号ＦＤがハイレベルになったとき、その時点においてディフェクト検出・判定の対象となっているクラスタの位置情報を取得し、それをディフェクトリストに記録する。すなわち、ディフェクトリストＤＬには、図９に示すように、欠陥クラスタの位置情報（例えばクラスタの先頭に対応する記録面上の物理アドレス）が記録される。図９に示すディフェクトリストＤＬ中の「ｘｘｘｘ」、「ｙｙｙｙ」などは、例えばクラスタの先頭に対応する記録面上の物理アドレスである。
【０１１１】
なお、一般に、ＤＶＤ−ＲＡＭの記録面上の物理アドレスは、記録面上に予め形成されたプリピット等に基づいて得ることができる。ドライブ装置１００においては、記録処理時および読取処理時において、ＤＶＤ−ＲＡＭ５０のプリピットを読み取り、ＣＰＵ６２等がそれを認識している。したがって、リスト作成管理部６１は、必要に応じてクラスタの位置情報をＣＰＵ６２等から取得することができる。
【０１１２】
以下、ドライブ装置１００の記録時における全体的な動作について説明する。外部機器からドライブ装置１００に供給される記録情報をＤＶＤ−ＲＡＭ５０に記録するとき、外部機器から供給された記録情報は、インターフェース５５およびバッファ５６を介して変調復調部５７に供給され、変調復調部５７および光ビーム駆動部５８により、エラー訂正符号の付加および変調等が行われた後、光ピックアップ５２に供給される。これにより記録情報に基づいて変調された光ビームがＤＶＤ−ＲＡＭ５０の記録面上に照射され、記録情報に対応するピットが記録面上に形成される。このとき、光ビームの反射光は、光ピックアップ５２の受光素子に入力され、ＲＦ信号となってＲＦアンプ５３に供給される。そして、ＲＦアンプ５３により増幅されたＲＦ信号、およびＲＦアンプ５３により生成されたトラックエラー信号ＴＥは、ディフェクト検出部５９に供給される。ディフェクト検出部５９およびディフェクト判定部６０は、このＲＦ信号およびトラックエラー信号ＴＥに基づいてディフェクト検出・判定を行い、欠陥クラスタを検出し、リスト作成管理部６１は欠陥クラスタの位置情報をディフェクトリストＤＬに記録する。
【０１１３】
次に、ドライブ装置１００の読取時における全体的な動作について説明する。ＤＶＤ−ＲＡＭ５０に記録された記録情報を読み取り、これを外部機器に出力するとき、ＤＶＤ−ＲＡＭ５０に記録された記録情報は、光ピックアップ５２により読み取られ、ＲＦ信号となってＲＦアンプ５３により増幅され、変調復調部５７に供給される。さらに、そのＲＦ信号は変調復調部５７によって復調され、かつエラー訂正処理が行われた後、バッファ５６およびインターフェース５５を介して外部機器へ出力される。このとき、ＲＦアンプ５３により増幅されたＲＦ信号と、ＲＦアンプ５３により生成されたトラックエラー信号ＴＥは、ディフェクト検出部５９に供給される。そして、ディフェクト検出部５９およびディフェクト判定部６０はディフェクト検出・判定を行い、リスト作成管理部６１はディフェクトリストＤＬを作成・更新する。
【０１１４】
記録時または再生時に作成・更新されたディフェクトリストＤＬは、記録処理または再生処理の途中または終了後にＤＶＤ−ＲＡＭ５０の所定の領域に記録される。ＤＶＤ−ＲＡＭ５０に記録されたディフェクトリストＤＬは、次回の記録処理に用いられる。例えば、次回の記録処理において、ＤＶＤ−ＲＡＭ５０に記録されたディフェクトリストＤＬが読み取られ、このディフェクトリストＤＬに記録された欠陥クラスタの位置情報が参照される。そして、欠陥クラスタの位置情報に基づき、欠陥クラスタに対応する記録面上の領域を避けるようにして記録情報の記録が行われる。
【０１１５】
以上より、ドライブ装置１００によれば、ディフェクト検出・判定を復調される前のＲＦ信号およびトラックエラー信号ＴＥに基づいて行う構成としたから、記録情報の読取時だけでなく記録時にもディフェクトリストＤＬを作成・更新することができる。したがって、ディフェクトリストＤＬの作成効率を高めることができ、ディフェクトリストＤＬを利用する機会を増やすことができる。例えば、通常、ディフェクトリストＤＬは次回の記録処理に用いられるものであるが、これを今回の記録処理の終了直後に用いて、記録状態の確認を行うことが可能となる。より具体的には、まず、記録情報の記録のみを連続的に行い（すなわち記録と照合とを交互に繰り返すといった処理はせずに記録のみを行い）、これによりディフェクトリストＤＬを作成・更新し、記録が終了した後で、ただ今作成したばかりの最新のディフェクトリストＤＬを参照しながら、欠陥クラスタに対応する記録面上の領域の記録状態を確認することができる。これにより、記録が失敗している可能性が高い場所のみを効率よく確認することができる。
【０１１６】
また、ドライブ装置１００によれば、ディフェクト検出を、復調前のＲＦ信号およびトラックエラー信号ＴＥに基づいて行う構成としたから、きわめて高精度なディフェクト検出を実現することができる。
【０１１７】
さらに、ドライブ装置１００によれば、このような高精度なディフェクト検出の結果に基づいて、まず１個のフレーム内においてディフェクトが存在する部分の割合を計測することによって欠陥フレームの判定を行い、さらに、１個のクラスタ内における欠陥フレーム内の個数をカウントすることによって欠陥クラスタの判定を行い、欠陥クラスタの位置情報のみをディフェクトリストＤＬに記録する構成としたから、現実的に情報記録の障害となる可能性の高いディフェクトのみを的確に抽出して、ディフェクトリストＤＬに収集することができる。例えば、きわめて細かいディフェクトが広範囲に散在している場合には、現実的に情報記録の障害となる可能性は低いので、このようなディフェクトは無視することができる。また、多数の細かいディフェクトが狭い領域に密集している場合には、現実的に情報記録の障害となる可能性が高いので、このようなディフェクトが存在する領域は、欠陥クラスタとしてディフェクトリストＤＬに記録される。
【０１１８】
（第２実施例）
図１０は本発明の第２実施例に係るＤＶＤ−ＲＡＭドライブ装置の全体的な構成を示している。
【０１１９】
図１０に示すように、本発明の第２実施例に係るドライブ装置２００の構成は、変調復調部７１およびリスト作成管理部７２を除き、第１実施例に係るドライブ装置１００と同じである。
【０１２０】
変調復調部７１は、変調復調部５７と同様に、記録時において、記録情報にエラー訂正符号を付加してこれを変調する機能と、読取時において、記録情報に対してエラー訂正を行う機能とを備えている。さらに、本実施例における変調復調部７１は、復調されたＲＦ信号に対してエラー訂正を行った結果、エラー訂正が不能であるときには、その旨を実質的に示すエラー訂正不能信号ＥＣを生成し、これをリスト作成管理部６１に出力する。
【０１２１】
リスト作成管理部７２は、ディフェクト判定部６０から出力されたディフェクト判定信号ＦＤおよび変調復調部７１から出力されたエラー訂正不能信号ＥＣに基づいて、ディフェクトリストＤＬを作成し、または更新する。
【０１２２】
このように、ドライブ装置２００によれば、ＲＦ信号およびトラックエラー信号ＴＥに基づくディフェクト検出・判定の結果と、エラー訂正の結果との２つの結果に基づいてディフェクトリストＤＬの作成・更新を行うので、より高精度な、かつより現実的利用に即したディフェクトリストの作成・更新を実現することができる。
【０１２３】
なお、上述した実施例では、ＲＦ信号とトラックエラー信号ＴＥを用いてディフェクト検出・判定を行う構成としたが、ＲＦ信号のみまたはトラックエラー信号ＴＥのみでディフェクト検出・判定を行う構成としてもよい。さらに、フォーカスエラー信号ＦＥ、ウォブル周波数信号ＷＦなどの他の制御信号もディフェクト検出・判定に用いることができる。
【０１２４】
また、本発明は、請求の範囲および明細書全体から読み取るこのできる発明の要旨または思想に反しない範囲で適宜変更可能であり、そのような変更を伴う情報記録装置、情報読取装置、情報記録方法および情報読取方法並びにこれらの機能を実現するコンピュータプログラムもまた本発明の技術思想に含まれる。
【図面の簡単な説明】
【図１】本発明の情報記録装置の実施形態を示すブロック図である。
【図２】図１に示す情報記録装置のディフェクト検出手段の具体的な態様の一例を示すブロック図である。
【図３】図２に示すディフェクト判定手段の具体的な態様の一例を示すブロック図である。
【図４】記録媒体のトラック構造の一例を示す説明図である。
【図５】本発明の情報読取装置の実施形態を示すブロック図である。
【図６】本発明の第１実施例に係るＤＶＤ−ＲＡＭドライブ装置の全体的な構成を示すブロック図である。
【図７】図６中のディフェクト判定部の内部構成を示すブロック図である。
【図８】ディフェクト判定部の動作中に生じる各種信号の波形およびそれらの時間関係を示すタイミングチャートである。
【図９】ディフェクトリストの一例を示す説明図である。
【図１０】本発明の第２実施例に係るＤＶＤ−ＲＡＭドライブ装置の全体的な構成を示すブロック図である。
【符号の説明】
１０…情報記録装置
１１…取得手段
１２…記録手段
１３…制御手段
１４、４４…ディフェクト検出手段
１５…リスト作成手段
２１…ディフェクト検出情報生成手段
２２…ディフェクト判定手段
３１…欠陥ユニット判定手段
３２…欠陥ブロック判定手段
４０…情報読取装置
４１…読取手段
４２…復調手段
４３…制御手段
４４…ディフェクト検出手段
４５…リスト作成手段
４６…エラー訂正手段
５０…ＤＶＤ−ＲＡＭ
５２…ピックアップ
５３…ＲＦアンプ
５４…サーボ回路
５７…変調復調部
５９…ディフェクト検出部
６０…ディフェクト判定部
６１…リスト作成管理部
７１…ディフェクトカウンタ
７２…欠陥フレーム閾値設定部
７３…欠陥フレーム判定部
７４…欠陥フレームカウンタ
７５…欠陥クラスタ閾値設定部
７６…欠陥クラスタ判定部
【図１】
2004273016.tif 000003
【図２】
2004273016.tif 000004
【図３】
2004273016.tif 000005
【図４】
2004273016.tif 000006
【図５】
2004273016.tif 000007
【図６】
2004273016.tif 000008
【図７】
2004273016.tif 000009
【図８】
2004273016.tif 000010
【図９】
2004273016.tif 000011
【図１０】
2004273016.tif 000012